(57)【要約】【課題】導光体が損傷することを抑制しつつ、導光体に付着する不要物を除去する画像形成装置を提供する。【解決手段】画像形成装置１は、クリーニングユニット８０と、感光体ドラム５０と、導光体１０５とを備える。感光体ドラム５０は、クリーニングユニット８０に対して移動可能である。導光体１０５は、感光体ドラム５０に光を照射する。クリーニングユニット８０は、当接部８１５と、容器８０１と、ピストン８０７と、連結部材８１１とを有する。当接部８１５は、感光体ドラム５０に当接されて移動する。容器８０１は、噴出口８０１ａが形成される。噴出口８０１ａは、導光体８１５に向かって開口する。ピストン８０７は、容器８０１の内周面に沿って摺動する。連結部材８１１は、当接部８１５とピストン８０７とを連結させる。【選択図】図３
2016099559.tif 000002
【特許請求の範囲】
【請求項１】
クリーニングユニットと、
前記クリーニングユニットに対して移動可能な像担持体と、
前記像担持体に光を照射する導光体と
を備え、
前記クリーニングユニットは、
前記像担持体に当接されて移動する当接部と、
前記導光体に向かって開口する噴出口が形成される容器と、
前記容器の内周面に沿って摺動するピストンと、
前記当接部と前記ピストンとを連結させる連結部材と
を有する、画像形成装置。
【請求項２】
前記クリーニングユニットは、前記容器に収用される押圧部材をさらに有し、
前記押圧部材は、前記ピストンを前記噴出口から離れる方向に押圧する、請求項１に記載の画像形成装置。
【請求項３】
前記容器には、前記連結部材が挿通される連結口がさらに形成され、
前記噴出口の面積は、前記連結口の面積より広い、請求項１または請求項２に記載の画像形成装置。
【請求項４】
前記当接部は、コロを含み、
前記容器の外周面には、溝が形成され、
前記コロは、前記溝にそって移動する、請求項１から請求項３のいずれか１項に記載の画像形成装置。
【請求項５】
前記クリーニングユニットは、前記ピストンの周縁に装着される弾性体をさらに有する、請求項１から請求項４のいずれか１項に記載の画像形成装置。
【請求項６】
前記連結部材は、ワイヤーである、請求項１から請求項５のいずれか１項に記載の画像形成装置。
【請求項７】
前記押圧部材は、コイルバネである、請求項２から請求項６のいずれか１項に記載の画像形成装置。
【請求項８】
移動可能な像担持体と、前記像担持体に光を照射する導光体とを有する画像形成装置に備えられるクリーニングユニットであって、
前記像担持体に当接されて移動する当接部と、
前記導光体に向かって開口する噴出口が形成される容器と、
前記容器の内周面に沿って摺動するピストンと、
前記当接部と前記ピストンとを連結させる連結部材と
を備える、クリーニングユニット。
【発明の詳細な説明】
【技術分野】
【０００１】
本発明は、画像形成装置及びクリーニングユニットに関する。
【背景技術】
【０００２】
従来、感光体ドラムを有する電子写真方式の画像形成装置が知られている。電子写真方式の画像形成装置は、一般に、帯電、露光、現像、及び転写の各工程を実行することでシートに画像を形成する。
【０００３】
具体的には、まず、帯電工程において、感光体ドラムの表面が均一に帯電される。次に、露光工程において、感光体ドラムが露光され、感光体ドラムの表面に静電潜像が形成される。次に、現像工程において、感光体ドラムにトナーが供給され、静電潜像が現像されて感光体ドラムの表面上にトナー像が形成される。その後、転写工程において、現像されたトナー像が中間転写ベルトに転写され、中間転写ベルトに転写されたトナー像がシートに転写される。
【０００４】
中間転写ベルトにトナー像を転写させた後の感光体ドラムには、電荷が残留する。従って、再度、帯電工程を実行する前に、感光体ドラムに残留する電荷を除去する必要がある。例えば、感光体ドラムの長手方向に沿って延びる導光体を感光体ドラムに近接して配置させ、発光体は、導光体に向かって発光する。そして、導光体が、発光体から受光した光を感光体ドラムに照射することで感光体ドラムに残留する電荷を除去する。
【０００５】
しかしながら、導光体は、感光体ドラムに近接して配置されるため、現像工程において、感光体ドラムに供給されるトナーが導光体に付着する可能性がある。導光体に付着するトナーは、導光体の発光する光を遮る可能性があり、導光体の感光体ドラムへの照射量が、照射箇所によって異なる可能性がある。従って、導光体が感光体ドラムに残留する電荷を除去する量にむらが発生し、再度、帯電工程を実行すると感光体ドラムの表面が不均一に帯電される。その結果、シートに形成される画像に濃度差（ドラムゴースト）が発生する可能性がある。
【０００６】
特許文献１の電子写真式印刷装置は、感光体ユニットと、感光体ユニットの表面電位を除去するイレースランプと、クリーニング部材とを備える。クリーニング部材は、感光体ユニットの出入動作に伴いイレースランプを払拭する。
【先行技術文献】
【特許文献】
【０００７】
【特許文献１】実開平３−１２２７４号公報
【発明の概要】
【発明が解決しようとする課題】
【０００８】
しかしながら、トナーとキャリアとを混合した現像剤を用いる２成分現像方式の画像形成装置では、現像工程において、供給されるトナーの中に微量のフェライトキャリアが含まれる可能性がある。従って、クリーニング部材がイレースランプを払拭する際に、微量のフェライトキャリアによってイレースランプが損傷し、イレースランプの発光する光が意図しない箇所に照射される可能性がある。その結果、感光体ドラムの照射される箇所によって、感光体ドラムへの照射量が異なる可能性がある。
【０００９】
本発明は、上記課題に鑑みてなされたものであり、導光体が損傷することを抑制しつつ、導光体に付着する不要物を除去する画像形成装置を提供することを目的としている。
【課題を解決するための手段】
【００１０】
本発明の第１の観点によれば、画像形成装置は、クリーニングユニットと、像担持体と、当接部と、導光体とを備える。像担持体は、前記クリーニングユニットに対して移動可能である。当接部は、前記像担持体に当接されて移動する。導光体は、前記像担持体に光を照射する。前記クリーニングユニットは、容器と、ピストンとを有する。容器は、前記導光体に向かって開口する噴出口が形成される。ピストンは、前記容器の内周面に沿って摺動する。
【００１１】
本発明の第２の観点によれば、クリーニングユニットは、移動可能な像担持体と、前記像担持体に光を照射する導光体とを有する画像形成装置に備えられる。クリーニングユニットは、当接部と、容器と、ピストンと、連結部材とを備える。当接部は、前記像担持体に当接されて移動する。容器は、前記導光体に向かって開口する噴出口が形成される。ピストンは、前記容器の内周面に沿って摺動する。連結部材は、前記当接部と前記ピストンとを連結させる。
【発明の効果】
【００１２】
本発明によれば、導光体が傷つくことを抑制しつつ、導光体に付着する不要物を除去することができる。
【図面の簡単な説明】
【００１３】
【図１】本発明の実施形態に係る画像形成装置を示す断面図である。
【図２】本発明の実施形態に係る画像形成装置の画像形成部を示す図である。
【図３】（ａ）本発明の実施形態に係る画像形成装置の感光体ドラムが画像形成装置の本体に収納される状態を示す図である。（ｂ）本発明の実施形態に係る画像形成装置の感光体ドラムが画像形成装置の本体から取り出される状態を示す図である。
【図４】本発明の実施形態に係る画像形成装置のクリーニングユニットを示す斜視図である。
【発明を実施するための形態】
【００１４】
以下、本発明の実施形態について、図面を参照しながら説明する。なお、図中、同一又は相当部分については同一の参照符号を付して説明を繰り返さない。なお、本明細書では、Ｘ軸及びＹ軸は水平面に平行であり、Ｚ軸は鉛直線に平行である。
【００１５】
図１を参照して本実施形態に係る画像形成装置１について説明する。図１は、画像形成装置１を示す。画像形成装置１は、例えば、複写機、プリンター、ファクシミリ、又は複合機（ＭＦＰ：Ｍｕｌｔｉ  Ｆｕｎｃｔｉｏｎ  Ｐｅｒｉｐｈｅｒａｌ）である。複合機は、例えば、複写機、プリンター、及びファクシミリのうち少なくとも２つの機器を備える。
【００１６】
画像形成装置１は、画像形成部５と、画像読取部２１０と、収容部２２０と、搬送部２３０と、転写部２５０と、定着部２６０と、排出部２７０と、制御部２８０とを備える。シートＳは、シートＳの搬送方向Ａに沿って画像形成装置１の内部を搬送される。画像形成部５の詳細については後述する。
【００１７】
画像読取部２１０は、複写される原稿の画像を光学的に読み取り、画像データを生成する。収容部２２０は、シートＳを収容する。シートＳは、例えば、普通紙、コピー紙、再生紙、薄紙、厚紙、光沢紙、又はＯＨＰ（Ｏｖｅｒｈｅａｄ  Ｐｒｏｊｅｃｔｏｒ）シートである。収容部２２０はシートＳを収容する。シートＳは、収容部２２０から搬送部２３０に給送される。搬送部２３０は、収容部２２０から給送されるシートＳを、転写部２５０及び定着部２６０を経由して排出部２７０まで搬送する。
【００１８】
転写部２５０は、中間転写ベルト２５１、２次転写ローラー２５２、及び従動ローラー２５３を含む。中間転写ベルト２５１は無端状のベルトである。具体的には、例えば、中間転写ベルト２５１は、回転方向Ｄに沿って回転する。回転方向Ｄは、正方向を向くＸ軸が反時計回りに回転する方向である。中間転写ベルト２５１には、画像形成部５が画像データに基づいて形成するトナー像が転写される。２次転写ローラー２５２は、中間転写ベルト２５１を介して従動ローラー２５３に押圧される。中間転写ベルト２５１に転写されるトナー像は、２次転写ローラー２５２と従動ローラー２５３との間を通過する際に、シートＳに転写される。
【００１９】
定着部２６０は、定着部材２６１及び加圧部材２６２を含む。定着部材２６１がシートＳを加熱し、加圧部材２６２がシートＳを加圧することで、シートＳに転写されたトナー像は、シートＳに定着される。排出部２７０は、トナー像が定着されたシートＳを画像形成装置１の外部へ排出する。
【００２０】
制御部２８０は、記憶領域を有する。記憶領域は、プログラム、設定情報、及び画像データ等を記憶する。記憶領域は、ＲＡＭ（Ｒａｎｄｏｍ  Ａｃｃｅｓｓ  Ｍｅｍｏｒｙ）及びＲＯＭ（Ｒｅａｄ  Ｏｎｌｙ  Ｍｅｍｏｒｙ）を含む。制御部２８０は、ＲＯＭに予め記憶された各種の制御プログラムを実行することにより、画像形成装置１が備える構成要素の全体の動作を制御する。
【００２１】
次に、図１及び図２を参照して画像形成装置１の画像形成部５の詳細について説明する。図２は、画像形成装置１の画像形成部５を示す。画像形成部５は、除電部１０、供給部２０、清掃部３０、露光部４０、像担持体としての感光体ドラム５０、１次転写ローラー５３、帯電部６０、及びクリーニングユニット８０を備える。除電部１０、供給部２０、清掃部３０、露光部４０、１次転写ローラー５３、及び帯電部６０は、感光体ドラム５０の周囲に配置される。除電部１０及びクリーニングユニット８０の詳細については後述する。
【００２２】
感光体ドラム５０は、中間転写ベルト２５１の外周面に配置される。感光体ドラム５０は、円柱状であり、回転方向Ｒに沿って回転する。回転方向Ｒは、中間転写ベルト２５１に従動して回転する方向である。感光体ドラム５０の表面には、１０μｍ以上数１０μｍ以下の感光層が形成される。本明細書において、感光体ドラム５０の回転軸に沿った方向を感光体ドラム５０の長手方向とする。感光体ドラム５０は、画像形成装置１の本体から取り出し可能である。
【００２３】
帯電部６０は、帯電ローラー６０１及びクリーニングブラシ６０３を含む。帯電ローラー６０１は、感光体ドラム５０に当接するよう配置され、感光体ドラム５０が回転することにより従動回転する。帯電ローラー６０１は、感光体ドラム５０の表面に電圧を印加させ、感光体ドラム５０の表面を均一に帯電させる。クリーニングブラシ６０３は、帯電ローラー６０１の下方に配置され、帯電ローラー６０１に従動回転する。クリーニングブラシ６０３は、帯電ローラー６０１の表面に付着したトナーを除去する。
【００２４】
露光部４０は、画像読取部２１０によって生成される画像データ又は制御部２８０に記憶される画像データに基づく光を感光体ドラム５０の表面に照射する。その結果、感光体ドラム５０の表面には、画像データに対応する静電潜像が形成される。
【００２５】
供給部２０は、感光体ドラム５０の表面にトナーを供給し、感光体ドラム５０の表面に形成される静電潜像を現像する。具体的には、供給部２０から供給されるトナーは、感光体ドラム５０の表面に形成される静電潜像に付着し、静電潜像が現像される、つまり、感光体ドラム５０の表面に、静電潜像に対応するトナー像が形成される。
【００２６】
１次転写ローラー５３は、中間転写ベルト２５１を介して、感光体ドラム５０に対向して配置される。１次転写ローラー５３が感光体ドラム５０を圧接することで、感光体ドラム５０の表面に形成されたトナー像が、中間転写ベルト２５１の外周面に転写される。
【００２７】
清掃部３０は、摺擦ローラー３０１及びトナー回収ローラー３０３を含む。摺擦ローラー３０１は、感光体ドラム５０に圧接するように配置される。摺擦ローラー３０１は、回転方向Ｑに回転する。回転方向Ｑは回転方向Ｒに沿って回転する感光体ドラム５０に従動して回転する方向である。摺擦ローラー３０１は、感光体ドラム５０の表面を摺擦し、感光体ドラム５０に残留するトナーを除去する。
【００２８】
トナー回収ローラー３０３は、摺擦ローラー３０１に隣接して配置される。トナー回収ローラー３０３は、摺擦ローラー３０１の表面に接触しつつ摺擦ローラー３０１の回転方向Ｑと逆方向に回転することにより、摺擦ローラー３０１に付着するトナーを回収する。なお、トナー回収ローラー３０３に回収されるトナーは、清掃部３０の下方に配置される残留トナー用の搬送経路（不図示）に落とされ、回収される。
【００２９】
次に、図３を参照して除電部１０及びクリーニングユニット８０について説明する。図３（ａ）は、感光体ドラム５０が画像形成装置１の本体に収納される状態を示し、図３（ｂ）は、感光体ドラム５０が本体から取り出される状態を示す。
【００３０】
除電部１０は、感光体ドラム５０の表面に残留する電荷を除去する。除電部１０は、発光部１０１及び導光体１０５を含む。発光部１０１は、導光体１０５に向かって、光を発光する。発光部１０１は、例えばＬＥＤ（Ｌｉｇｈｔ  Ｅｍｉｔｔｉｎｇ  Ｄｉｏｄｅ）である。導光体１０５は、発光部１０１の発光する光を受光し、感光体ドラム５０に、発光部１０１から受光した光を照射する。感光体ドラム５０は、導光体１０５に照射され、表面に付着する電荷が除去される。
【００３１】
クリーニングユニット８０は、画像形成装置１の本体に固定して取り付けられる。従って、画像形成装置１の本体から取り出し可能な感光体ドラム５０は、クリーニングユニット８０に対して移動可能である。クリーニングユニット８０は、導光体１０５に近接して配置される。クリーニングユニット８０は、容器８０１、ピストン８０７、ピストンシール８０９、連結部材８１１、押圧部材８１３、及び当接部８１５を有する。
【００３２】
容器８０１は、柱状である。容器８０１の一方の端部領域は、開放されている。容器８０１の他方の端部領域には噴出口８０１ａ、及び連結口８０１ｂが形成されている。噴出口８０１ａは、導光体１０５に向かって開口する。連結口８０１ｂは、当接部８１５に向かって開口する。噴出口８０１ａの面積は、連結口８０１ｂの面積より広い。
【００３３】
ピストン８０７は、開放される容器８０１の一方の端部領域を塞ぐように、容器８０１の内部に収納される。ピストン８０７は、例えば、合成ゴムにより形成される。ピストン８０７は、容器８０１の内周面に沿って、容器８０１の長手方向に摺動する。
【００３４】
ピストン８０７は、連結面８０７ａを有する。連結面８０７ａは、ピストン８０７のうち、噴出口８０１ａに近い面である。連結面８０７ａと連結面８０７ａよりも噴出口８０１ａの近くに位置する容器８０１の内周面とによって空間Ｐが形成される。空間Ｐには、空気が収容される。
【００３５】
ピストン８０７が噴出口８０１ａに近づくことにより、空間Ｐは加圧される。その結果、空間Ｐに収容される空気が噴出口８０１ａから噴出する。また、ピストン８０７が噴出口８０１ａから離れることにより、空間Ｐは減圧される。その結果、噴出口８０１ａから空間Ｐに空気が注入される。なお、噴出口８０１ａ及び連結口８０１ｂの面積は、空間Ｐが加圧又は減圧されない状態で空間Ｐから空気の漏れが抑制される程度の大きさであることが好ましい。
【００３６】
ピストン８０７の周縁には、弾性体としてのピストンシール８０９が装着される。ピストンシール８０９は、例えば、ゴム、又はパッキンである。ピストン８０７は、ピストンシール８０９を介して容器８０１の内周面を押圧する。従って、ピストンシール８０９は、空間Ｐに収容される空気が、ピストン８０７と容器８０１の内周面との間を通じて、開放される容器８０１の一方の端部領域に向かって漏れ出すことを抑制する。
【００３７】
また、ピストンシール８０９は、ピストン８０７の周縁と容器８０１の内周面とを密着させ、ピストン８０７を容器８０１の内周面に沿って滑らかに摺動させる。従って、ピストンシール８０９は、ピストン８０７が不安定な状態で摺動することを抑制する。具体的には、例えば、ピストンシール８０９は、ピストン８０７が容器８０１の内周面のうち何れかの箇所に偏って摺動すること、又はピストン８０７が容器８０１の内周面に対して傾いて摺動することを抑制する。
【００３８】
当接部８１５は、容器８０１の外周面に取り付けられる。当接部８１５は、容器８０１の外周面に沿って移動する。感光体ドラム５０が画像形成装置１の本体に収納されている状態では、当接部８１５は、感光体ドラム５０を押圧する。感光体ドラム５０が画像形成装置１の本体から取り出される際に、感光体ドラム５０には、当接部８１５の押圧力より大きく当接部８１５から受ける押圧力に抗する力が加えられる。従って、感光体ドラム５０が画像形成装置１の本体から取り出される際に、つまり、感光体ドラム５０がＸ軸の正方向に向かって移動する際に、当接部８１５は、感光体ドラム５０に当接されて移動する。
【００３９】
連結部材８１１は、ピストン８０７の連結面８０７ａと当接部８１５とを連結させる。連結部材８１１は、連結口８０１ｂに挿通される。連結部材８１１は、例えばワイヤーである。当接部８１５が連結口８０１ｂから離れる方向に移動することに応じて、ピストン８０７は、容器８０１のうちの、噴出口８０１ａ及び連結口８０１ｂが形成される他方の端部領域に向かって牽引される。つまり、感光体ドラム５０が画像形成装置１の本体から取り出される際に、ピストン８０７は、容器８０１の内周面に沿って噴出口８０１ａに近づく方向に牽引される。その結果、空間Ｐは加圧され、空間Ｐに収容されている空気が噴出口８０１ａから導光体１０５に向かって噴出される。
【００４０】
押圧部材８１３は、容器８０１の内部に収用される。押圧部材８１３は、例えばコイルバネである。押圧部材８１３は、ピストン８０７を噴出口８０１ａから離れる方向に押圧している。図３（ａ）に示すように、感光体ドラム５０が画像形成装置１の本体に収納されている場合、押圧部材８１３は、ピストン８０７を予め設定された位置で停止させる。その結果、空間Ｐには、略一定の空気が収容される。ピストン８０７の予め設定された位置は、ユーザーが任意に設定することができる。
【００４１】
押圧部材８１３の押圧力は、感光体ドラム５０が本体から取り出される際に感光体ドラム５０に加えられる力、すなわち、感光体ドラム５０が本体から取り出される際に当接部８１５がピストン８０７を牽引する牽引力より小さい。従って、感光体ドラム５０が画像形成装置１の本体から取り出される際に、ピストン８０７は噴出口８０１ａに近づく方向に牽引される。その結果、空間Ｐに収容される空気が噴出口８０１ａから導光体１０５に向かって噴出される。
【００４２】
本実施形態によれば、当接部８１５とピストン８０７とは連結される。従って、当接部８１５が感光体ドラム５０に当接されて移動することに応じてピストン８０７が容器８０１の内周面に沿って噴出口８０１ａに近づく方向に移動する。その結果、空間Ｐに収容される空気が噴出口８０１ａから導光体１０５に向かって噴出される。
【００４３】
また、本実施形態によれば、噴出口８０１ａの面積は、連結口８０１ｂの面積より広い。従って、空間Ｐが加圧される場合、連結口８０１ｂから噴出される空気の量より、多くの量の空気が噴出口８０１ａから噴出される。その結果、空間Ｐに収容される空気は、導光体１０５に付着する不要物を除去する。
【００４４】
さらに、本実施形態によれば、当接部８１５は、感光体ドラム５０に当接される。従って、感光体ドラム５０が画像形成装置１の本体から取り出され、当接部８１５と感光体ドラム５０とが接触しない状態になると、感光体ドラム５０が当接部８１５を押圧する押圧力より、押圧部材８１３がピストン８０７を押圧する押圧力の方が大きくなる。その結果、ピストン８０７は予め定められた位置に戻り、空間Ｐには、噴出口８０１ａから空気が注入され、略一定の空気が収容される。
【００４５】
次に、図４を参照してクリーニングユニット８０の外周面について説明する。図４は、クリーニングユニット８０を示す斜視図である。容器８０１の外周面には、一対の溝８０１ｃが形成される。一対の溝８０１ｃは、容器８０１の長手方向に沿って延びる。当接部８１５は、当接板８１９及び一対のコロ８１７を含む。感光体ドラム５０が画像形成装置１の本体に収容される場合、当接板８１９は、感光体ドラム５０に当接する。一対のコロ８１７は、一対の溝８０１ｃに嵌合し、一対の溝８０１ｃに沿って移動する。
【００４６】
本実施形態によれば、一対のコロ８１７は、容器８０１の外周面に形成される一対の溝８０１ｃに嵌合して移動する。従って、一対のコロ８１７のそれぞれの移動は安定する。
【００４７】
以上、図面（図１〜図４）を参照しながら本発明の実施形態について説明した。但し、本発明は、上記の実施形態に限られるものではなく、その要旨を逸脱しない範囲で種々の態様において実施することが可能である（例えば、下記に示す（１）〜（５））。図面は、理解しやすくするために、それぞれの構成要素を主体に模式的に示しており、図示された各構成要素の厚み、長さ、個数等は、図面作成の都合上から実際とは異なる。また、上記の実施形態で示す各構成要素の形状、寸法等は一例であって、特に限定されるものではなく、本発明の効果から実質的に逸脱しない範囲で種々の変更が可能である。
【００４８】
（１）図３を参照して説明したように、クリーニングユニット８０は、本体にとりつけられた。ただし、クリーニングユニット８０は、画像形成部５にとりつけられてもよい。
【００４９】
（２）図４を参照して説明したように、容器８０１は、円柱状であったが、柱状であればよい。従って、容器８０１は３以上の辺を有する多角注状であってもよい。
【００５０】
（３）図４を参照して説明したように、当接部８１５は、一対のコロ８１７を有する。ただし、当接部８１５は、単数のコロを有してもよいし、３個以上の複数のコロを有してもよい。その場合、容器８０１には、コロの数に対応する個数の溝が形成される。
【００５１】
（４）図２を参照して説明したように、除電部１０は、感光体ドラム５０の回転方向Ｒに沿って供給部２０と１次転写ローラー５３との間に配置される。ただし、除電部１０は感光体ドラム５０の回転方向Ｒに沿って１次転写ローラー５３と清掃部３０との間に配置されてもよい。
【００５２】
（５）図１を参照して説明したように、画像形成装置１の画像形成部５は、４つの感光体ドラム５０を備える。４つの感光体ドラム５０は、それぞれイエロー、マゼンダ、シアン、及びブラックの何れかの色でトナー像を形成する。感光体ドラム５０の感光層は、例えば有機感光体又はアモルファスシリコンを主とする材料で形成される。４つの感光体ドラム５０の感光層は、それぞれ異なる材料を主として形成されてもよい。
【産業上の利用可能性】
【００５３】
本発明は、画像形成装置の分野に利用可能である。
【符号の説明】
【００５４】
１        画像形成装置
１０５    導光体
５０      感光体ドラム
８０      クリーニングユニット
８０１    容器
８０１ａ  噴出口
８０１ｂ  連結口
８０１ｃ  溝
８０７    ピストン
８０９    ピストンシール
８１１    連結部材
８１３    押圧部材
８１５    当接部
８１７    コロ
【図１】
2016099559.tif 000003
【図２】
2016099559.tif 000004
【図３】
2016099559.tif 000005
【図４】
2016099559.tif 000006